(57)【要約】【課題】方向を指示するキー群の２重押しとテンキー押下による３重押しを行うことのできる、キーマトリクス構造を有するキー操作装置を提供する。【解決手段】「↑」キーのキースイッチと「↓」キーのキースイッチとを、同一の行信号線と２本の異なる列信号線とに跨る状態で結線し、「←」キーのキースイッチと「→」キーのキースイッチとを、「↑」キーのキースイッチ及び「↓」キーのキースイッチが接続された行信号線とは異なる１本の行信号線と、「↑」キーのキースイッチ又は「↓」キーのキースイッチが接続された列信号線と同じ２本の列信号線とに跨る状態で結線し、テンキー群の各キースイッチは、「↑」キーのキースイッチ、「↓」キーのキースイッチ、「←」キーのキースイッチ、及び「→」キーのキースイッチ夫々が結線された行信号線の一方に結線する場合は、同一の列信号線上において他方の行信号線上にはキースイッチを結線しない。【選択図】図２
2008250803.tif 000002
【特許請求の範囲】
【請求項１】
複数のキースイッチの開閉状態を、マトリクス状に配線された行信号線と列信号線とを介して検出するキー操作装置であって、
前記複数のキースイッチのうち、所定の方向を指示する第１キースイッチと、当該第１キースイッチが指示する方向と逆の方向を指示する第２キースイッチとを、同一の行信号線と２本の異なる列信号線とに跨る状態で結線し、
前記第１キースイッチと前記第２キースイッチとが指示する方向とは異なる所定の方向を指示する第３キースイッチと、当該第３キースイッチが指示する方向と逆の方向を指示する第４キースイッチとを、前記第１キースイッチ及び前記第２キースイッチが接続された行信号線とは異なる１本の行信号線と、前記第１キースイッチ又は前記第２キースイッチが接続された列信号線と同じ２本の列信号線とに跨る状態で結線し、
前記複数のキースイッチのうち、テンキー群の各キースイッチは、前記第１キースイッチ、前記第２キースイッチ、前記第３キースイッチ、及び前記第４キースイッチ夫々が結線された行信号線上には、結線しない、もしくは、前記第１キースイッチ、前記第２キースイッチ、前記第３キースイッチ、及び前記第４キースイッチ夫々が結線された行信号線の一方に結線する場合は、同一の列信号線上において他方の行信号線上にはキースイッチを結線しない
ことを特徴とするキー操作装置。
【請求項２】
複数のキースイッチの開閉状態を、マトリクス状に配線された行信号線と列信号線とを介して検出するキー操作部を備える携帯端末装置であって、
前記複数のキースイッチのうち、所定の方向を指示する第１キースイッチと、当該第１キースイッチが指示する方向と逆の方向を指示する第２キースイッチとを、同一の行信号線と２本の異なる列信号線とに跨る状態で結線し、
前記第１キースイッチと前記第２キースイッチとが指示する方向とは異なる所定の方向を指示する第３キースイッチと、当該第３キースイッチが指示する方向と逆の方向を指示する第４キースイッチとを、前記第１キースイッチ及び前記第２キースイッチが接続された行信号線とは異なる１本の行信号線と、前記第１キースイッチ又は前記第２キースイッチが接続された列信号線と同じ２本の列信号線とに跨る状態で結線し、
前記複数のキースイッチのうち、テンキー群の各キースイッチは、前記第１キースイッチ、前記第２キースイッチ、前記第３キースイッチ、及び前記第４キースイッチ夫々が結線された行信号線上には、結線しない、もしくは、前記第１キースイッチ、前記第２キースイッチ、前記第３キースイッチ、及び前記第４キースイッチ夫々が結線された行信号線の一方に結線する場合は、同一の列信号線上において他方の行信号線上にはキースイッチを結線しない
ことを特徴とする携帯端末装置。
【請求項３】
所定のアプリケーションを実行するためのプログラムを記憶する記憶部を備え、
前記十字キーと、前記テンキー群の夫々とは、前記所定のアプリケーションを実行するための操作に割り当てられている
ことを特徴とする請求項２記載の携帯端末装置。
【発明の詳細な説明】
【技術分野】
【０００１】
本発明は、複数のキースイッチの開閉状態を、マトリクス状に配線された行信号線と列信号線とを介して検出するキー操作装置、及び当該キー操作装置を備える携帯端末装置に関する。
【背景技術】
【０００２】
従来、携帯電話機等の小型の携帯端末装置のキー操作部として、キースキャンラインとキーセンスラインとから成るキーマトリクス構造を有するキー操作部が利用されている（例えば、特許文献１参照）。
一般的なキーマトリクス構造について、図８を参照しながら説明する。
図８は、携帯電話機に備わるキー操作部の構造を示している。
【０００３】
図８に示すように、従来のキーマトリクス１０は、５本のキースキャンライン（キースキャン０〜４）と５本のキーセンスライン（キーセンス０〜４）とから構成されるキーマトリクス構造を有しており、携帯電話機（図示しない）の複数のキー夫々に対応したキースイッチが各キースキャンラインに結線されている。
図９は、キーマトリクス１０上での各キーの割り当てを示している。
【０００４】
キーマトリクス１０は、入出力ポートを有するキースキャン回路１１と繋がっており、出力ポートには各キースキャンラインが、入力ポートには各キーセンスラインが接続されている。
抵抗Ｒ０〜Ｒ４から成るキーセンスプルアップ回路１２がキーセンスラインに接続されていて、各キーセンスラインには常にハイレベルの信号が出力されている状態にあり、キースキャン回路１１が各キースキャンラインに順次ローレベルのキースキャン信号を出力することで、各キースイッチの開閉状態を検出する。
【０００５】
例えば、キースキャン０にキースキャン信号を出力したときに、「ＴＡＬＫ」キーが押下されていて当該キーに対応するキースイッチが閉じていた場合は、キーセンス２とキースキャンライン０とが導通してキーセンス２がローレベルに変化することが検出され、「ＴＡＬＫ」キーの押下が検出される。
【特許文献１】特開平５−１８９１１６号公報
【発明の開示】
【発明が解決しようとする課題】
【０００６】
ところで、近年、ゲーム等のアプリケーションを実行してユーザがキー操作部のキーを操作してプレイすることのできる携帯電話機が開発されている。
この種の携帯電話機では、キー操作部の、上下左右キーから成る、各方向を指示する十字キーと、数字キーと記号キー（「＊」キー及び「＃」キー）とから成るテンキーとがゲームをプレイするためのキーに割り当てられていることが一般的である。
【０００７】
ゲームのプレイ時において、例えばゲームに登場するキャラクタを動かすためにユーザは、十字キーの「↑」キー及び「→」キーを押して、いわゆる斜め方向（右上）への方向操作を行い、さらにテンキーの「１」キーを押すといった、通常の電話機能を使用するときでは想定されないような複雑な同時押しを行うことがある。
ところが、上述したような従来のキーマトリクス構造を有するキー操作部では、このような十字キーの２重押しとテンキーの押下とによる３重押し以上のキー同時押しに対応できないことがある。
【０００８】
図９及び１０を参照しながら説明する。
図中では、上下左右キーをそれぞれ、「↑」「↓」「←」「→」と表記しており、以降、上下左右キーをそれぞれ「↑」「↓」「←」「→」キーと表記する。
「↑」キーと「→」キーと「１」キーとが同時に押された場合、キースキャン回路１１でキースキャンライン１をスキャンしたときに、キーセンスライン０及びキーセンスライン２がキースキャンライン１と導通することで「→」キー及び「１」キーが押下されていることが検出される。
【０００９】
次に、キースキャンライン３をスキャンしたときに、キーセンスライン２がキースキャンライン３と導通することで「↑」キーが押下されていることが検出されるが、同時に、図９中の太線が示すように、「↑」キー、「→」キー、及び「１」キーのそれぞれのキースイッチが閉じていることにより、キーセンスライン０がキースキャンライン３と導通してしまう。
【００１０】
これにより、押されていない「７」キーが押下されているとキースキャン回路１１に検出されてしまい、ユーザが十字キーとテンキーとを使って正しくゲームをプレイできない、という事態が発生し得る。
テンキーを構成する他のキーについても同様であり、２本のキースキャンラインと２本のキーセンスラインとから検出される位置に２重押しされる上下左右キーとともに結線されていると誤検出の問題が発生し得る。
【００１１】
例えば、「↑」キーと「→」キーとを同時押しするときには、「１」「２」「３」「７」「８」「９」の各キーの押下が問題になり、「↑」キーと「←」キーとを同時押しするときは、「４」「５」「６」「７」「８」「９」の各キーの押下キーが問題になり、「↓」キーと「→」キーとを同時押しするときは、「１」「２」「３」「＊」「０」「＃」の各キーの押下が問題になり、「↓」キーと「←」キーとを同時押しするときは、「４」「５」「６」「＊」「０」「＃」の各キーの押下が問題になる。
【００１２】
このように、図７に示すような従来のキーマトリクスでは、斜め方向操作のため方向を指示するキーを２重押しする操作と、テンキーを構成する各キーの押下とが同時に行えないという問題がある。
この問題を解決するためには、例えば、図１１に示すように、各キースイッチに逆流防止用の整流回路（ダイオード）を設置することが考えられるが、複数のダイオードを設置するのにはコストがかかってしまい、また、設置するスペース分キーマトリクスが大きくなるため携帯電話機の小型化を阻害してしまうため避けたい。
【００１３】
そこで、本発明は、整流回路を用いることなく、方向を指示するキー群の２重押しとテンキー押下による３重押しを行うことのできる、キーマトリクス構造を有するキー操作装置を提供する目的とする。
【課題を解決するための手段】
【００１４】
上記課題を解決するために、本発明のキー操作装置は、複数のキースイッチの開閉状態を、マトリクス状に配線された行信号線と列信号線とを介して検出するキー操作装置であって、前記複数のキースイッチのうち、所定の方向を指示する第１キースイッチと、当該第１キースイッチが指示する方向と逆の方向を指示する第２キースイッチとを、同一の行信号線と２本の異なる列信号線とに跨る状態で結線し、前記第１キースイッチと前記第２キースイッチとが指示する方向とは異なる所定の方向を指示する第３キースイッチと、当該第３キースイッチが指示する方向と逆の方向を指示する第４キースイッチとを、前記第１キースイッチ及び前記第２キースイッチが接続された行信号線とは異なる１本の行信号線と、前記第１キースイッチ又は前記第２キースイッチが接続された列信号線と同じ２本の列信号線とに跨る状態で結線し、前記複数のキースイッチのうち、テンキー群の各キースイッチは、前記第１キースイッチ、前記第２キースイッチ、前記第３キースイッチ、及び前記第４キースイッチ夫々が結線された行信号線上には、結線しない、もしくは、前記第１キースイッチ、前記第２キースイッチ、前記第３キースイッチ、及び前記第４キースイッチ夫々が結線された行信号線の一方に結線する場合は、同一の列信号線上において他方の行信号線上にはキースイッチを結線しないことを特徴とする。
【００１５】
なお、ここで、マトリクス状とは、一方向に並ぶ複数の信号線と、当該一方向と交差する方向に並ぶ複数の信号線とから成る四辺形状をいい、一方向に並ぶ信号線を行信号線、一方向と交差する方向に並ぶ信号線を列信号線と呼ぶ。
一般的に、行信号線と列信号線は、一方がキースキャンラインで、他方がキーセンスラインである。
【００１６】
なお、ここで、第１キースイッチ、第２キースイッチ、第３キースイッチ、及び第４キースイッチは夫々、方向を支持するキースイッチであり、例えば、夫々十字キーの上下左右キーに相当する。第１キースイッチ及び第３キースイッチの２重押しと、第１キースイッチ及び第４キースイッチの２重押しと、第２キースイッチ及び第３キースイッチの２重押しと、第２キースイッチ及び第４キースイッチの２重押しの４パターンの２重押し操作が可能なキー群である。
【００１７】
また、ここで、テンキーとは、０〜９までの数字キーから構成されるキー群、または、０〜９までの数字キー及び数字キーと同じ並びにある「＊」「＃」等の記号キーから構成されるキー群である。
【発明の効果】
【００１８】
上記の構成により、キーマトリクス上において、方向を指示するキー群以外のテンキー群の各キースイッチについて、第１キースイッチ、第２キースイッチ、第３キースイッチ、及び第４キースイッチ夫々が結線された行信号線上には結線しないキースイッチは、第１キースイッチ、第２キースイッチ、第３キースイッチ、及び第４キースイッチのいずれとも行信号線を共用しない。これにより、当該キースイッチに対応するキーは、方向を指示するキー群の２重押しとともに押下されたとしても、隣り合う他のキーの誤検出を起こさない。
【００１９】
また、前記第１キースイッチ、第２キースイッチ、第３キースイッチ、及び第４キースイッチ夫々が結線された行信号線の一方に結線する場合は、同一の列信号線上において他方の行信号線上にはキースイッチ結線しない。これにより、結線したキースイッチに対応するキーが、方向を指示するキー群の２重押しとともに押下されたとしても、誤検出が起こる原因となる列信号線にキースイッチが結線されないため、誤検出の恐れがない。
【００２０】
これにより、整流回路を用いることなく、方向を指示するキー群の２重押しとテンキー押下による３重押しを行うことのできる、キーマトリクス構造を有するキー操作装置を提供することができる。
【発明を実施するための最良の形態】
【００２１】
以下、本発明の実施形態について、図面を参照しながら説明する。
まず、本発明に係る携帯電話機１００について説明する。
（１．構成）
（１−１．携帯電話機１００）
図１は、携帯電話機１００の構成を示すブロック図である。
【００２２】
携帯電話機１００は、アンテナ１０１と接続された無線通信部１０２、キー操作部１０３、ＲＯＭ（Read Only Memory）１０４、及び制御部１０５を備える。
無線通信部１０２は、アンテナ１０１を介して受信する受信信号の復調処理や、アンテナ１０１を介して送出する送信信号の変調処理など、無線通信処理を司る回路である。
キー操作部１０３は、各方向を指示する十字キーやテンキー等の複数のキーから成り、ユーザの入力操作を受付ける機能を有する。詳細は後述する。
【００２３】
ＲＯＭ１０４は、携帯電話機１００の各種機能を実行するためのプログラムが記憶されているメモリである。ＲＯＭ１０４には主に、電話の発着信を実行するための電話機能プログラム１０４ａ、電子メールの送受信を実行するためのメール機能プログラム１０４ｂ、及び所定のゲームを実行するためのゲームプログラム１０３ｃが記憶されている。
制御部１０５は、ＣＰＵ（Central Processing Unit）であり、ＲＯＭ１０４に記憶されている各プログラムを実行することで携帯電話機１００の各種機能を実行する機能を有する。
【００２４】
例えば、電話の発着信時には、電話機能プログラム１０４ａを実行し、キー操作部１０３からダイアル入力の受付け、受付けたダイアル先への発呼のための信号や音声信号の無線通信部１０２への送出といった処理を実行する。
電子メール送受信時には、メール機能プログラム１０４ｂを実行し、キー操作部１０３からメールアドレス入力の受付け、文字データの無線通信部１０２への送出といった処理を実行する。
【００２５】
ゲーム実行時には、ゲームプログラム１０４ｃを実行し、ゲームを構成するキャラクタ等のグラフィックス描画、キー操作部１０３から十字キー及びテンキーの操作入力の受付け、受付けた操作入力に基づくキャラクタ移動のためのグラフィック処理といった処理を実行する。
なお、携帯電話機１００には、画面表示用の表示部や、音声入力用のマイク、音声出力用のスピーカといったデバイスが他にも備わっていることが一般的であるが、これらのデバイスは本実施例とは関連性がないため詳述しない。これらのデバイスの構成は従来の携帯電話機の構成と同様でよい。
【００２６】
（１−２．キー操作部１０３）
次に、キー操作部１０３の構成について詳述する。
図２は、キー操作部１０３の構成を示すブロック図である。
キー操作部１０３は、５本のキースキャンライン（キースキャン０〜４）と５本のキーセンスライン（キーセンス０〜４）とから構成されるキーマトリクス構造を有しており、キー操作部１０３の複数のキー夫々に対応したキースイッチがキースキャンライン及びキーセンスラインに接続されている。
【００２７】
なお、本実施形態におけるキースキャンライン及びキーセンスラインはそれぞれ、本発明の行信号線及び列信号線に相当する。
図３は、キー操作部１０３での各キーの割り当てを示している。
なお、図２及び図３において、上下左右をそれぞれ、「↑」「↓」「←」「→」と表記しており、以降、本明細書において上下左右キーをそれぞれ「↑」「↓」「←」「→」キーと表記することがある。
【００２８】
図３に示すように、キー操作部１０３のキーマトリクス上において、「↑」キーのキースイッチは、キースキャンライン０とキーセンスライン０とに接続されている。
「↓」キーのキースイッチは、キースキャンライン０とキーセンスライン１とに接続されている。
「ＴＡＬＫ」キーのキースイッチは、キースキャンライン０とキーセンスライン２とに接続されている。
【００２９】
「→」キーのキースイッチは、キースキャンライン１とキーセンスライン０とに接続されている。
「←」キーのキースイッチは、キースキャンライン１とキーセンスライン１とに接続されている。
「ＢＡＣＫ」キーのキースイッチは、キースキャンライン１とキーセンスライン２とに接続されている。
【００３０】
「２」キーのキースイッチは、キースキャンライン１とキーセンスライン３とに接続されている。
「３」キーのキースイッチは、キースキャンライン１とキーセンスライン４とに接続されている。
「ＷＥＢ」キーのキースイッチは、キースキャンライン２とキーセンスライン０とに接続されている。
【００３１】
「１」キーのキースイッチは、キースキャンライン２とキーセンスライン１とに接続されている。
「４」キーのキースイッチは、キースキャンライン２とキーセンスライン２とに接続されている。
「５」キーのキースイッチは、キースキャンライン２とキーセンスライン３とに接続されている。
【００３２】
「６」キーのキースイッチは、キースキャンライン２とキーセンスライン４とに接続されている。
「Ｌ」キーのキースイッチは、キースキャンライン３とキーセンスライン０とに接続されている。
「Ｒ」キーのキースイッチは、キースキャンライン３とキーセンスライン１とに接続されている。
【００３３】
「７」キーのキースイッチは、キースキャンライン３とキーセンスライン２とに接続されている。
「８」キーのキースイッチは、キースキャンライン３とキーセンスライン３とに接続されている。
「９」キーのキースイッチは、キースキャンライン３とキーセンスライン４とに接続されている。
【００３４】
「ＯＫ」キーのキースイッチは、キースキャンライン４とキーセンスライン０とに接続されている。
「ＳＰＥＡＫＥＲ」キーのキースイッチは、キースキャンライン４とキーセンスライン１とに接続されている。
「＊」キーのキースイッチは、キースキャンライン４とキーセンスライン２とに接続されている。
【００３５】
「０」キーのキースイッチは、キースキャンライン４とキーセンスライン３とに接続されている。
「＃」キーのキースイッチは、キースキャンライン４とキーセンスライン４とに接続されている。
なお、本実施形態における「↑」キーのキースイッチ、「↓」キーのキースイッチ、「←」キーのキースイッチ、及び「→」キーのキースイッチはそれぞれ、本発明における第１キースイッチ、第２キースイッチ、第３キースイッチ、及び第４キースイッチに相当する。
【００３６】
キー操作部１０３はキースキャン回路１０３ａを有し、キースキャン回路１０３ａの出力ポートには各キースキャンラインが、入力ポートには各キーセンスラインが接続されている。
なお、上下左右（「↑」「↓」「←」「→」）キーを総称して十字キーと呼び、数字キー（「０」〜「９」）及び当該数字キーと同列に並ぶ記号キー（「＊」「＃」）を総称してテンキーと呼ぶ。
【００３７】
このように、キーマトリクス上において、十字キーを構成する上下左右キーのうち、上キー及び下キーを一組として、両キーのキースイッチが同一のキースキャンライン（キースキャンライン０）上に接続され、左キー及び右キーを一組として、両キーのキースイッチが同一のキースキャンライン（キースキャンライン１）上に接続されている。
さらに、上キー及び右キーのキースイッチが同一のキーセンスライン（キーセンスライン０）に接続され、下キー及び左キーのキースイッチが同一のキーセンスライン（キーセンスライン１）に接続されている。
【００３８】
テンキーについては、「４」「５」「６」「７」「８」「９」「０」「＊」「＃」の各キーのキースイッチは、十字キーのキースイッチが接続されたキースキャンライン（キースキャンライン０及び１）とキーセンスライン（キーセンスライン０及び１）との両ラインを避けた位置に接続されている。
「１」キーのキースイッチは、十字キーのキースイッチが接続されたキースキャンラインを避けているが、「↓」キー及び「←」キーのキースイッチが接続されたキーセンスライン１上に接続されている。
【００３９】
「２」キーのキースイッチは、十字キーのキースイッチが接続されたキーセンスラインは避けているが、「→」キー及び「←」キーのキースイッチが接続されたキースキャンライン１上に接続されている。
「３」キーのキースイッチについては、十字キーのキースイッチが接続されたキーセンスラインは避けているが、「↑」キー及び「↓」キーのキースイッチが接続されたキースキャンライン１上に接続されている。
【００４０】
なお、図３中で、バツ印は、キースキャンライン０上のキーセンスライン３及び４上には、キースイッチの割り当てがないことを示す。
また、抵抗Ｒ０〜Ｒ４から成るキーセンスプルアップ回路１０３ｂがキーセンスラインに接続されていて、各キーセンスラインには常にハイレベルの信号が出力されている状態にある。
【００４１】
ここで、キースキャン回路１０３ａがキーの押下を検出する仕組みについて説明する。
キースキャン回路１０３ａは、時分割で各キースキャンラインに順次ローレベルのキースキャン信号を出力する。
キー群のうちいずれかが押下されていると、押下されたキーに対応するキースイッチの接点が閉じ、キースイッチを介して当該キースイッチと接続されているキースキャンラインとキーセンスラインとが導通し、キーセンスライン側がローレベルとなる。
【００４２】
スキャン回路１０３ｂはこのキーセンスラインの電圧レベル変化を検知してキースイッチの開閉状態を検出する。
例えば、キースキャン回路１０３ａがキースキャンライン１をスキャンしたときに、「３」キーが押下されていると、キーセンスライン４のみがローレベルとなり、残りのキーセンスライン（キーセンスライン０〜３）はハイレベルのままである。この電圧レベル変化でキースキャン回路１０３ａは、「３」キー押下を検出する。
（２．３重押しの検証）
ここで、ユーザが、キー操作部１０３の十字キーを２重押しするとともにテンキーのキーをいずれか押下するときのキースキャン回路１０３ａのキー押下検出について検証する。
【００４３】
図４は、「↑」キー及び「→」キーを２重押しするとともに「１」キーを押下するときの、キーマトリクス上の電流経路を示す概念図である。
図４に示すように、キースキャン回路１０３ａでキースキャンライン０をスキャンしたときに、キーセンスライン０がキースキャンライン０と導通することで「↑」キーが押下されていることが検出される。
【００４４】
次に、キースキャンライン１をスキャンしたときに、キーセンスライン０がキースキャンライン１と導通することで「→」キーが押下されていることが検出される。
次に、キースキャンライン２をスキャンしたときに、キーセンスライン１がキースキャンライン２と導通することで「１」キーが押下されていることが検出される。
「１」キーのキースイッチと、２重押しが行われる十字キーのキースイッチとはキースキャンラインを共用しないため、「１」キー以外のテンキーのキーが押下されたようにキースキャン回路１０３ａが誤検出することはない。
【００４５】
これにより、キースキャン回路１０３ａは、他のキーが押下されていると誤検出することなく、「↑」キー及び「→」キーの２重押しと「１」キーの押下とを検出することができる。
同様に、「↑」キー及び「↓」キーのいずれかと「→」キー及び「←」キーのいずれかとの２重押しをするとともに、テンキーのうち「２」「３」を除くいずれかのキーを押下したとしても、テンキーのキースイッチと十字キーのキーとはキースキャンラインを共用していないため、キースキャン回路１０３ａは、他のキーが押下されていると誤検出することはない。
【００４６】
「２」キーについては、「２」キーのキースイッチと同じキーセンスライン３上でかつ、「↑」キー及び「↓」キーのキースイッチが接続されたキースキャンライン０上のマトリクスにテンキーのキースイッチを接続すると誤検出の対象となるが、ここにはキースイッチが接続されていない。
「３」キーについては、「３」キーのキースイッチと同じキーセンスライン４上でかつ、「↑」キー及び「↓」キーのキースイッチが接続されたキースキャンライン０上のマトリクスにテンキーのキースイッチを接続すると誤検出の対象となるが、ここにはキースイッチが接続されていない。
【００４７】
このように、「↑」キー及び「↓」キーのキースイッチが接続されたキースキャンライン０と、「→」キー及び「←」キーのキースイッチが接続されたキースキャンライン１とには、一方であるキースキャンライン１にのみテンキーのキー「２」「３」のキースイッチを割り当てることで、キースキャン回路１０３ａは、十字キーの２重押しとともに「２」キー又は「３」キーの押下を検出することができる。
【００４８】
以上のように、キー操作部１０３において、キースキャン回路１０３ａは、十字キーの２重押しとともにテンキーの押下を検出することができる。
＜変形例＞
以上、実施形態に基づき本発明のキー操作装置１０３及び携帯電話機１００について説明したが、キー操作部１０３の構成には変形を加えることが可能である。
（変形例１）
図５は、変形例１に係るキー操作部１０３における、各キーの割り当てを示す概念図である。
【００４９】
変形例１のキー割り当てでは、「↑」キー及び「↓」キーを一組として両キーのキースイッチが同一のキーセンスライン（キーセンスライン０）に接続され、「→」キー及び「←」キーを一組として両キーのキースイッチが同一のキーセンスライン（キーセンスライン１）に接続されている。
また、「↑」キー及び「→」キーのキースイッチが同一のキースキャンライン（キースキャンライン１）に接続され、「↓」キー及び「←」キーのキースイッチが同一のキースキャンライン（キースキャンライン２）に接続されている。
【００５０】
変形例１に係るキー割り当てにおいても、「↑」キー及び「↓」キーのいずれかと「→」キー及び「←」キーのいずれかとの２重押しをするとともに、テンキーのうち「０」「＃」を除くいずれかのキーを押下したとしても、テンキーのキースイッチと十字キーのキースイッチとはキースキャンラインを共用しないため、キースキャン回路１０３ａは、他のキーが押下されていると誤検出することはない。
【００５１】
「０」キーについては、「０」キーのキースイッチと同じキースキャンライン３上でかつ、「↑」キー及び「↓」キーのキースイッチが接続されたキーセンスライン０上のマトリクスにはテンキーのキースイッチを接続しない。
「＃」キーについては、「＃」キーのキースイッチと同じキースキャンライン４上でかつ、「→」キー及び「←」キーのキースイッチが接続されたキーセンスライン１上のマトリクスにはテンキーのキースイッチを接続しない。
【００５２】
こうすることで、キースキャン回路１０３ａは、十字キーの２重押しとともに「０」キー又は「＃」キーの押下も検出することができる。
（変形例２）
図６は、変形例２に係るキー操作部１０３における、各キーの割り当てを示す概念図である。
【００５３】
変形例２のキー割り当てでは、「↑」キー及び「↓」キーを一組として両キーのキースイッチが同一のキースキャンライン（キースキャンライン１）に接続され、「←」キー及び「→」キーを一組として両キーのキースイッチが同一のキースキャンライン（キースキャンライン３）に接続されている。
また、「↑」キー及び「←」キーのキースイッチが同一のキーセンスライン（キーセンスライン１）に接続され、「↓」キー及び「→」キーのキースイッチが同一のキーセンスライン（キーセンスライン３）に接続されている。
【００５４】
変形例２に係るキー割り当てにおいても、「↑」キー及び「↓」キーのいずれかと「→」キー及び「←」キーのいずれかとの２重押しをするとともに、テンキーのうち「０」「＊」「＃」を除くいずれかのキーを押下したとしても、テンキーのキースイッチと十字キーのキースイッチとはキースキャンラインを共用しないため、キースキャン回路１０３ａは、他のキーが押下されていると誤検出することはない。
【００５５】
「０」キーについては、「０」キーのキースイッチと同じキーセンスライン２上でかつ、「↑」キー及び「↓」キーのキースイッチが接続されたキースキャンライン１上のマトリクスにはテンキーのキースイッチを接続しない。
「＊」キーについては、「＊」キーのキースイッチと同じキーセンスライン０上でかつ、「←」キー及び「→」キーのキースイッチが接続されたキースキャンライン３上のマトリクスにはテンキーのキースイッチを接続しない。
【００５６】
「＃」キーについては、「＃」キーのキースイッチと同じキーセンスライン４上でかつ、「←」キー及び「→」キーのキースイッチが接続されたキースキャンライン３上のマトリクスにはテンキーを接続しない。
こうすることで、キースキャン回路１０３ａは、十字キーの２重押しとともに「０」キー、「＊」キー又は「＃」キーの押下も検出することができる。
（変形例３）
図７は、変形例３に係るキー操作部１０３における、各キーの割り当てを示す概念図である。
【００５７】
変形例３のキー割り当てでは、「↑」キー及び「↓」キーを一組として両キーのキースイッチが同一のキースキャンライン（キースキャンライン０）に接続され、「←」キー及び「→」キーを一組として両キーのキースイッチが同一のキースキャンライン（キースキャンライン１）に接続されている。
また、「↑」キー及び「→」キーのキースイッチが同一のキーセンスライン（キーセンスライン０）に接続され、「↓」キー及び「←」キーのキースイッチが同一のキーセンスライン（キーセンスライン１）に接続されている。
【００５８】
変形例３では、「０」〜「９」及び「＊」「＃」から成るテンキー群の各キーを、「↑」キー、「↓」キー、「←」キー、及び「→」キーが接続されているキースキャンライン（キースキャンライン０及び１）には接続していない。
こうすることで、キースキャン回路１０３ａは、十字キーの２重押しとともに「０」キー、「＊」キー又は「＃」キーの押下も検出することができる。
＜補足＞
以上、実施形態に基づいて本発明について説明したが、実施形態で示したキー操作装置及び携帯端末装置には変形を加えることが可能である。
（１）実施形態では、本発明における行信号線をキースキャンラインとし、列信号線をキーセンスラインとしたが、これに限定されるものではない。
【００５９】
行と列とは互いに交差する関係を示しているのに過ぎず、例えば、列信号線をキーセンスラインとし、行信号線をキースキャンラインとしてもよい。
（２）実施形態では、本発明における第１キースイッチを「↑」キーのキースイッチ、第２キースイッチを「↓」キーのキースイッチ、第３キースイッチを「←」キーのキースイッチ、第４キースイッチを「→」キーのキースイッチとそれぞれしたが、これに限定されるものではない。
【００６０】
各キースイッチの指示する各方向の関係が保たれていればよく、例えば、第１キースイッチを「←」キーのキースイッチ、第２キースイッチを「→」キーのキースイッチとして、第３キースイッチを「↑」キーのキースイッチ、第４キースイッチを「↓」キーのキースイッチとしてもよい。
（３）実施形態では、十字キーを構成する上下左右キーはそれぞれ独立したキーであるとしたが、これに限定されるものではない。
【００６１】
例えば、上下キーや左右キーが、一体成形されいずれか一方にのみ押下することのできる機構を持つ、いわゆるシーソーキーであってもよい。
テンキーについても同様に、各キーが独立したキーではなく、シーソーキーの機構を持っていてもよい。
（４）実施形態では、本発明の携帯端末装置として携帯電話機を例に挙げたが、これに限定されるものではない。
【００６２】
例えば、ＰＤＡ（Personal Digital Assistant）やラップトップＰＣ（Personal Computer）といった機器にも、本発明のキー操作装置は実装可能である。
【産業上の利用可能性】
【００６３】
本発明は、キーマトリクス構造を有するキー操作装置に広く適用可能なものであり、方向を指示するキー群の２重押しとテンキー押下とを検出できる点で有用な技術である。
【図面の簡単な説明】
【００６４】
【図１】本発明に係る携帯電話機１００の構成を示すブロック図である。
【図２】キー操作部１０３の構成を示すブロック図である。
【図３】キー操作部１０３での各キーの割り当てを示す概念図である。
【図４】キー操作部１０３のキーマトリクス上の電流経路を示す概念図である。
【図５】キー操作部１０３の変形例を示す概念図である。
【図６】キー操作部１０３の変形例を示す概念図である。
【図７】キー操作部１０３の変形例を示す概念図である。
【図８】従来のキー操作部の構成を示すブロック図である。
【図９】従来の各キーの割り当てを示す概念図である。
【図１０】従来のキーマトリクス上の電流経路を示す概念図である。
【図１１】整流回路を設けた従来のキー操作部の構成を示すブロック図である。
【符号の説明】
【００６５】
１００        携帯電話機
１０１        アンテナ
１０２        無線通信部
１０３        キー操作部
１０４        ＲＯＭ
１０５        制御部
【図１】
2008250803.tif 000003
【図２】
2008250803.tif 000004
【図３】
2008250803.tif 000005
【図４】
2008250803.tif 000006
【図５】
2008250803.tif 000007
【図６】
2008250803.tif 000008
【図７】
2008250803.tif 000009
【図８】
2008250803.tif 000010
【図９】
2008250803.tif 000011
【図１０】
2008250803.tif 000012
【図１１】
2008250803.tif 000013